(57)【要約】      （修正有）【課題】任意の幅、特に，幼児などの爪幅に対応できる幅を有し、爪の切断片が飛散せず、爪の切断片を確実に、かつ、容易に捨てることができるようにした爪切りを提供する。【解決手段】先端部１ａの爪切り刃４が爪挿入間隔７をあけて対向し、後端部１ｂが固定されている一対の爪切り本体１Ａ，１Ｂと、前記爪切り本体に装着されたカバー３と、前記一方の爪切り本体１Ａを押圧し前記爪切り刃を接離させるテコ竿５と、を備えて爪切りを形成する。さらに、前記テコ竿の爪切り刃側には、前記押圧の際に作用点となるテコ突起部５ａが設けられ、該テコ突起部の先端部両側には支点となる係止軸５ｂが設けられ、前記カバー３の支点ガイド壁３ａには、前記係止軸を伏位置及びテコ起立位置に案内して保持する支点ガイド穴１５が設けられている。【選択図】図２
0003177100.tif 000002
【実用新案登録請求の範囲】
【請求項１】
先端部の爪切り刃が爪挿入間隔を介して対向し、後端部が固定されている一対の爪切り本体と、前記爪切り本体に装着されたカバーと、前記一方の爪切り本体を押圧し前記爪切り刃を接離させるテコ竿と、を備えた爪切りにおいて、
前記テコ竿の爪切り刃側には、前記押圧の際に作用点となるテコ突起部が設けられ、該テコ突起部の先端部両側には支点となる係止軸が設けられ、前記カバ−の支点ガイド壁には、前記係止軸をテコ竿伏位置及びテコ竿起立位置に案内して保持する支点ガイド穴が設けられていることを特徴とする爪切り。
【請求項２】
前記支点ガイド穴は、テコ竿を伏状態から起立状態まで案内する、爪切り刃側に突の上側円弧状ガイド穴と、該上側円弧状ガイド穴の下端に連続する、爪切り本体側に突の下側円弧状ガイド穴と、を備えていることを特徴とする請求項１記載の爪切り。
【請求項３】
前記両爪切り本体の内側には、仕切り板が設けられていることを特徴とする請求項１又は２記載の爪切り。
【請求項４】
前記仕切り板は、ばね材で形成されていることを特徴とする請求項３記載の爪切り。
【請求項５】
前記仕切り板に、弾性部材が取り付けられていることを特徴とする請求項３又は４記載の爪切り。
【請求項６】
前記爪切り本体の後端部の貫通穴には、固定軸が回転可能に挿着され、該固定軸の先端部には、テコ竿の係合部に係止するストッパが設けられていることを特徴とする請求項１、２、３、４又は５記載の爪切り。
【考案の詳細な説明】
【技術分野】
【０００１】
この考案は、家庭などで用いられる爪切りに関するものである。
【背景技術】
【０００２】
従来の爪切りは、二枚刃からなる爪切り本体と、それを包むカバーと、爪切り刃を動かすテコと、テコの支点となるピンを貫通させている支持材と、を備えている。この爪切りでは、前記爪切り刃の爪挿入部に指などの爪先を挿入した後、前記テコを押し下げると、前記両爪切り刃が前記爪を押圧し切断する（例えば、特許文献１、参照）。
【先行技術文献】
【特許文献】
【０００３】
【特許文献１】実開平３−９２４０６号公報
【考案の概要】
【考案が解決しようとする課題】
【０００４】
従来例には、次のような問題がある。
（１）支点であるピンに最大の力が加わるが、一番細い部材としなければならない構造となっているので、このピンの太さが、支持材の丸柱の太さを決め、丸柱の太さが爪切りの幅を決めている。そのため、爪の大きさに合わせた幅の爪切りを作ることは、困難な状況にある。
【０００５】
そのため、幼児などの小さな爪を切る場合には、指先が爪切りに隠れてしまうため、細心の注意を払わなければケガをさせる恐れがあるので、幼児の爪を切る人にかなりの緊張感を強いることになる。
【０００６】
（２）爪切り刃の幅の１／３弱の太さの支持材が、爪挿入部の直後の中央にあるため、爪の切断片のほとんどがこの支持材に衝突するので、該切断片がカバーと爪切りの隙間や前記爪挿入部から飛び出すことがある。これでは、飛散防止のためのカバーがその役目を十分果たしていないことになる。
【０００７】
（３）爪の切断片を捨てた時、支持材の丸柱があり、爪切りの中も深いので、きれいになったのか、全くわからない。そのため、これ以上爪の切断片が落ちないと各自納得するまで爪切りを振り続けるのが現状である。
【０００８】
それでも、爪切りの中が汚れていないかとカバーを外すこともあるが、２枚刃の隙間に爪の切断片が詰まっていることもあるし、詰まっていない場合もある。つまり、カバーを外す目安などと言うものは全くない。そのため、個人の感覚的な判断によりカバーを外すことになるが、清潔好きな人は、爪を切る度にカバーを開けることになる。また、前記丸柱は、爪切り本体の挿入穴に遊嵌合されているので、両者間の隙間に、小さい爪の切断片が侵入して挟まってしまうことがある。
【０００９】
この考案は、上記事情に鑑み、任意の幅、特に，幼児などの爪幅に対応できる幅、の爪切りを提供することを目的とする。他の目的は、爪の切断片が飛散しないようにすることである。更に、他の目的は、爪の切断片を確実に、かつ、容易に捨てることができるようにすることである。
【課題を解決するための手段】
【００１０】
この考案は、先端部の爪切り刃が爪挿入間隔を介して対向し、後端部が固定されている一対の爪切り本体と、前記爪切り本体に装着されたカバーと、前記一方の爪切り本体を押圧し前記両爪切り刃を接離させるテコ竿と、を備えた爪切りにおいて、前記テコ竿の爪切り刃側には、前記押圧の際に作用点となるテコ突起部が設けられ、該テコ突起部の先端部両側には支点となる係止軸が設けられ、前記カバーの支点ガイド壁には、前記係止軸をテコ竿伏位置及びテコ竿起立位置に案内して保持する支点ガイド穴が設けられていることを特徴とする。
【００１１】
この考案の支点ガイド穴は、テコ竿を伏状態から起立状態まで案内する、爪切り刃側に突の上側円弧状ガイド穴と、該上側円弧状ガイド穴の下端に連続する、爪切り本体側に突の下側円弧状ガイド穴と、を備えていることを特徴とする。この考案の爪切り本体の内側には、仕切板が設けられていることを特徴とする。この考案の仕切板は、ばね材により形成されていることを特徴とする。この考案の仕切板に弾力部材が取り付けられていることを特徴とする。この爪切り本体の後端部の貫通穴には、固定軸が回動可能に挿着され、該固定軸には、テコ竿の係合部に係止するストッパが設けられていることを特徴とする。
【考案の効果】
【００１２】
この考案は、以上のように構成したので、従来例のように、爪切り本体内を貫通するピン（支持材）を必要としない。そのため、支持材の太さなどを考慮することなく、自由に爪切り刃の幅を決めることができるので、幼児などの爪幅に適した幅の爪切を形成することができる。
【００１３】
また、爪挿入間隔に爪先を挿入して爪を切ると、その切断片は、支持材に衝突することなくカバー内に収容されるので、従来例のように、飛散することがない。更に、爪切り本体内部は、支持材に視界をさえぎられることがないので、従来例と異なり、容易に爪の有無を確認することができる。
【図面の簡単な説明】
【００１４】
【図１】本考案の第１実施例を示す平面図である。
【図２】図１のII-II線断面図である。
【図３】図２の他の状態を示す断面図である。
【図４】テコ突起部の伏状態及び起立状態の時の、支点ガイド穴と係止軸との関係を示す断面図である。
【図５】テコ突起部が起立状態を保ちながら最終位置まで前進した時の、支点ガイド穴と係止軸との関係を示す断面図である。
【図６】テコ突起部の作用点により爪切り本体を押圧し、両爪切り刃を合わせた状態を示す断面図である。
【図７】本考案の第２実施例を示す断面図で、図２に対応する図である。
【実施例】
【００１５】
この考案の第１実施例を図１〜図６により説明する。爪切りは、一対の爪切り本体１Ａ，１Ｂと、カバー３と、テコ竿５とを備えている。前記爪切り本体１Ａ，１Ｂの先端部１ａには、爪切り刃４が突設されているが、この爪切り刃４、４は、爪挿入間隔７を介して対向している。前記爪切り本体１Ａ，１Ｂの後端部１ｂには、貫通穴９が設けられ、該貫通穴９には、固定軸１３が回転可能に挿着され、該固定軸１３の先端部には、ストッパ１１が設けられている。
【００１６】
前記カバー３は、爪切り本体１Ａ，１Ｂを包み込むように装着されており、このカバー３により爪切り本体１Ａ，１Ｂは、その弾性変形を規制されて略Ｖ字状になり、その開放端にある前記爪挿入間隔７が所定の大きさに維持されている。前記カバー３の先端部側の側壁には、半円状の支点ガイド壁３ａが延設されている。この支点ガイド壁３ａの形状は、必要に応じて適宜選択することができる。なお、前記カバー３は、爪切り本体１Ａの前記支点ガイド壁３ａに対応する部分には、設けられていないが、それを配設することも可能である。
【００１７】
前記テコ竿５の爪切り刃４側には、爪切り本体１Ａの押圧の際に作用点となるテコ突起部５ａが設けられ、該テコ突起部５ａの先端部両側には支点となる係止軸５ｂが突設されている。また、このテコ竿５の固定軸１３側には、ストッパ１１の係合部５ｃが設けられている。
【００１８】
前記支点ガイド壁３ａには、支点ガイド穴１５が設けられている。この支点ガイド穴１５は、前記係止軸５ｂをテコ竿伏位置及びテコ竿起立位置に案内して保持するものであり、上側円弧状ガイド穴１５ａと下側円弧状ガイド穴１５ｂから構成されている。前記上側円弧状ガイド穴１５ａは、爪切り刃４側に突出するスリットで、テコ竿５を伏状態から起立状態まで案内する。又、下側円弧状ガイド穴１５ｂは、該上側円弧状ガイド穴１５ａの下端に連続し、爪切り本体１Ａ側に突出している、半円状のスリットである。前記上側円弧状ガイド穴１５ａの半径ｒ１は、下側円弧状ガイド穴１５ｂの半径ｒ２より大きいが、前記半径ｒ１，ｒ２は、必要に応じて適宜選択できる。
【００１９】
次に、本実施例の作動について説明する。爪切りを使用するときには、固定軸１３を回転させてストッパ１１を外すとともに、テコ竿５をテコ突起部５ａの作用点Ｐを中心として矢印５Ａ方向に回すと、始端１５Ａに保持されていた係止軸５ｂが、上側円弧状ガイド穴１５ａの前記始端１５Ａから下端まで円弧を描くようにしながら移動するので、テコ竿５は、スムーズに、図４の鎖線で示す伏状態から一点鎖線で示す起立状態に変位する。
【００２０】
前記テコ竿５を矢印Ｆ５方向に押すと、係止軸５ｂは下側円弧状ガイド穴１５ｂの上端から終端１５Ｂまで円弧を描くようにしながら移動するので、テコ竿５は、起立した状態で、スムーズに、図５に示す鎖線で示す状態から一点鎖線で示す状態に変位する。この時、下側円弧状ガイド穴１５ｂは、爪切り本体１Ａ側に突の半円状となっているので、テコ突起部５ａの移動に伴い爪切り竿１Ａが押圧されて下方に弾性変形するが、前記上側円弧状ガイド穴１５ｂの上端と前記終端１５Ｂは同一高さに位置するので、爪切り本体１Ａは復元力により元の位置に戻る。そのため、前記係止軸５ｂは、下側円弧状ガイド穴１５ｂの終端１５Ｂに押しつけられるようにしながら保持される。
【００２１】
前記爪挿入間隔７に親指等の爪先を挿入した後、前記テコ竿５を矢印Ｄ５方向に押すと、前記係止軸５ｂが支点、テコ突起部５ａが作用点Ｐ、となってテコの作用が発生し、爪切り本体１Ａを下方に弾性変形させるので、爪切り本体１Ａは、図６の鎖線で示す状態から一点鎖線で示す状態に変位する。そのため、前記両爪切り刃４，４は、接近して前記爪を切断し、爪切りの中心線１Ｃ上で当接する。前記切断された爪（切断片）は、障害物がないので、簡単に、カバー３内に入るので、外部に飛び散ることはない。
【００２２】
爪の切断後、前記行程と逆の行程を行うと、係止軸５ｂが支点ガイド穴１５の始端１５Ａに戻って保持されるので、テコ竿５は、元のテコ竿伏状態に戻る。
【００２３】
この考案の第２実施例を図７により説明するが、図１〜図６と同一図面符号は、その名称も機能も同一である。この実施例と第１実施例との相違点は、爪切り本体１Ａ，１Ｂの内側に仕切り板２０を設けるとともに、該仕切り板２０の背面側に弾力部材２２を取り付けたことである。この弾性部材２２として、例えば、弾力のある発泡材又はゴム材などが用いられる。
【００２４】
前記仕切り板２０及び弾性部材２２は、弾性力のある爪切り本体１Ａ，１Ｂの幅にあわせた形状に形成される。また、前記仕切り板２０をばね材で形成することにより、爪切りの弾性力を補助することができるので、爪切り本体１Ａ，１Ｂをその分薄く形成することが可能である。
【符号の説明】
【００２５】
１Ａ    爪切り本体
１Ｂ    爪切り本体
３      カバー
３ａ    支点ガイド壁
４      爪切り刃
５      テコ竿
５ａ    テコ突起部
５ｂ    係止軸
７      爪挿入間隔
１５    支点ガイド穴
１５Ａ  始端
１５Ｂ  終端
【図１】
0003177100.tif 000003
【図２】
0003177100.tif 000004
【図３】
0003177100.tif 000005
【図４】
0003177100.tif 000006
【図５】
0003177100.tif 000007
【図６】
0003177100.tif 000008
【図７】
0003177100.tif 000009